(57)【要約】【課題】電源コードの冷却風が電源コード引出口等から出ることを抑制することができる電気掃除機を提供することを目的としている。【解決手段】エアカーテン形成部材の吹き出し口より放出されるエアカーテンにより、コードリールの冷却風が引出口より放出されることを抑止しているので、コードリールに巻き取られている電源コードを十分に冷却できるとともに、引出口より冷却風が排出されてユーザが奇異に感じるような事態を防止することができるという効果を得る。【選択図】          図５
2004357999.tif 000002
【特許請求の範囲】
【請求項１】
集塵モータの気流を電源コードを巻き取るコードリールに導いて、この電源コードを冷却する電気掃除機において、
上記気流を分岐して、電源コード引出口からの排気を遮断する手段を備えたことを特徴とする電気掃除機。
【請求項２】
集塵モータの気流を電源コードを巻き取るコードリールに導いて、この電源コードを冷却する電気掃除機において、
上記気流を分岐して、電源コード引出口からの排気を遮断するエアカーテンを形成するエアーカーテン形成手段を備えたことを特徴とする電気掃除機。
【請求項３】
集塵モータの気流を電源コードを巻き取るコードリールに導いて、この電源コードを冷却する電気掃除機において、
上記気流を分岐して、電源コード引出口からの排気を遮断するエアカーテンを形成するエアーカーテン形成手段と、
上記エアカーテンを受けて排気するガイド手段を備えたことを特徴とする電気掃除機。
【請求項４】
前記エアカーテン形成手段の吹き出し口は、前記電源コードの先端に取り付けられるコンセントを係止するコードストッパよりも本体内側の所定位置に設けられることを特徴とする請求項２または請求項３記載の電気掃除機。
【請求項５】
前記エアカーテン形成手段の吹き出し口は、前記電源コードの先端に取り付けられるコンセントを係止するコードストッパよりも本体外側の所定位置に設けられることを特徴とする請求項２または請求項３記載の電気掃除機。
【請求項６】
前記前記エアカーテン形成手段の吹き出し口は、前記電源コードの先端に取り付けられるコンセントを係止するコードストッパを兼用することを特徴とする請求項２または請求項３記載の電気掃除機。
【請求項７】
前記コードリールは、前記集塵モータの左側または右側に配置されることを特徴とする請求項１または請求項２または請求項３または請求項４または請求項５または請求項６記載の電気掃除機。
【請求項８】
前記コードリールは、前記集塵モータの上側に配置されることを特徴とする請求項１または請求項２または請求項３または請求項４または請求項５または請求項６記載の電気掃除機。
【請求項９】
前記コードリールは、前記集塵モータの下側に配置されることを特徴とする請求項１または請求項２または請求項３または請求項４または請求項５または請求項６記載の電気掃除機。
【請求項１０】
前記エアカーテン形成手段の吹き出し口は、前記エアカーテンをファン状に吹き出す形状に形成されていることを特徴とする請求項４記載の掃除機。
【請求項１１】
前記電源コードの先端に取り付けられるコンセントを係止するコードストッパは、前記エアカーテンの吹き出し態様に応じた態様に傾斜して設けられることを特徴とする請求項１０記載の電気掃除機。
【請求項１２】
前記エアカーテン形成手段の吹き出し口は、前記エアカーテンを、前記電源コード引出口からの排気方向に対向する方向に吹き出す形状に形成されていることを特徴とする請求項４記載の掃除機。
【発明の詳細な説明】
【０００１】
【発明の属する技術分野】
本発明は、集塵モータの気流を電源コードを巻き取るコードリールに導いて、この電源コードを冷却する電気掃除機に関する。
【０００２】
【従来の技術】
一般に、電気掃除機では、運転時、電源コードには約１０Ａの電流が流れ、電源コードの銅線からわずかながら発熱する。通常の使用では問題ないものの、電源コードを１０ｃｍ程度しか引き出さないような状態で使用した場合、コードリールの内側に巻き込まれている電源コードは放熱しづらくなり、温度が上昇する。
【０００３】
このため、集塵モーターの排気の一部を電源コードを巻き取るコードリールに導いて、この電源コードを冷却するようにしている。
【０００４】
【非特許文献１】
Ｋａｄｅｎｆａｎ  Ｓｉｔｅ、”Ｑ４  排気口以外から排気がでるのはどうして？”、Ｋａｄｅｎｆａｎ  Ｓｉｔｅ、［ｏｎｌｉｎｅ］、［２００３年５月２７日検索］、インターネット＜ｈｔｔｐ：／／ｋａｄｅｎｆａｎ．ｈｉｔａｃｈｉ．ｃｏ．ｊｐ／ｑ＿ａ／ｌｉｆｅ＿０４＿０３．ｈｔｍｌ＃ｑ４＞
【０００５】
【発明が解決しようとする課題】
このようにして、電源コードの冷却機構を備えている電気掃除機では、その冷却用の風が、電源コード引出口等から出るため、ユーザが奇異に感じることがあった。
【０００６】
本発明は、かかる実情に鑑みてなされたものであり、電源コードの冷却風が電源コード引出口等から出ることを抑制することができる電気掃除機を提供することを目的としている。
【０００７】
【課題を解決するための手段】
本発明は、集塵モータの気流を電源コードを巻き取るコードリールに導いて、この電源コードを冷却する電気掃除機において、上記気流を分岐して、電源コード引出口からの排気を遮断する手段を備えたものである。
【０００８】
また、集塵モータの気流を電源コードを巻き取るコードリールに導いて、この電源コードを冷却する電気掃除機において、上記気流を分岐して、電源コード引出口からの排気を遮断するエアカーテンを形成するエアーカーテン形成手段を備えたものである。
【０００９】
また、集塵モータの気流を電源コードを巻き取るコードリールに導いて、この電源コードを冷却する電気掃除機において、上記気流を分岐して、電源コード引出口からの排気を遮断するエアカーテンを形成するエアーカーテン形成手段と、上記エアカーテンを受けて排気するガイド手段を備えたものである。
【００１０】
また、前記エアカーテン形成手段の吹き出し口は、前記電源コードの先端に取り付けられるコンセントを係止するコードストッパよりも本体内側の所定位置に設けられる。
【００１１】
また、前記エアカーテン形成手段の吹き出し口は、前記電源コードの先端に取り付けられるコンセントを係止するコードストッパよりも本体外側の所定位置に設けられる。
【００１２】
また、前記前記エアカーテン形成手段の吹き出し口は、前記電源コードの先端に取り付けられるコンセントを係止するコードストッパを兼用する。
【００１３】
また、前記コードリールは、前記集塵モータの左側または右側に配置される。
【００１４】
また、前記コードリールは、前記集塵モータの上側に配置される。
【００１５】
また、前記電源コードは、前記集塵モータの下側に配置される。
【００１６】
また、前記エアカーテン形成手段の吹き出し口は、前記エアカーテンをファン状に吹き出す形状に形成されている。
【００１７】
また、前記電源コードの先端に取り付けられるコンセントを係止するコードストッパは、前記エアカーテンの吹き出し態様に応じた態様に傾斜して設けられる。
【００１８】
また、前記エアカーテン形成手段の吹き出し口は、前記エアカーテンを、前記電源コード引出口からの排気方向に対向する方向に吹き出す形状に形成されている。
【００１９】
【発明の実施の形態】
以下、添付図面を参照しながら、本発明の実施の形態を詳細に説明する。
【００２０】
図１は、本発明の一実施例にかかる電気掃除機の外観の概略を示している。
【００２１】
同図において、電気掃除機の本体１の両側に設けられている車輪２ａ，２ｂには、その側面に排気用の孔３が多数穿設されている。
【００２２】
図２は、図１に示した電気掃除機の内部構造の概略を示している。
【００２３】
同図において、本体１は、集塵袋４が配置される集塵室５、集塵モータ６が収容されるモータ室７、および、モータ室７の後方に配置される排気室８からなり、集塵室５とモータ室７との間には、集塵室５からモータ室７の方向へ引かれる空気から塵埃等を除去するための防塵フィルター９が設けられるとともに、排気室８の排気窓１０には、本体１から排出される排気から塵埃等を除去するための排気フィルター１１が設けられている。
【００２４】
また、図３、図４および図５に示すように、集塵室５の右側には、電源コンセント１２がその先端に取り付けられている電源コード１３を巻き取るためのコードリール１４を収容するコードリール室１５も、設けられている。また、コードストッパ１６は、コードリール１４に電源コード１３を巻き取る際に、電源コンセント１２を係止して収容するためのものである。
【００２５】
また、エアカーテン形成部材１７は、モータ室７の上部とコードストッパ１６の排気室側とを連通し、モータ室７からの排気を分岐して、電源コード１３の引出口１８の手前位置において、下方向へのエアカーテンを形成するためのものである。
【００２６】
さて、コードリール室１５には、コードリール１４に電源コード１３が巻き取られている態様で運転されている際に、その電源コード１３を冷却するための気流が、モータ室７より供給されており、その冷却風は、気圧の低い引出口１８から外へ出ようとする。
【００２７】
一方、エアカーテン形成部材１７の空気取り入れ口１７ａより分岐された気流は、引出口１８の手前位置で、吹き出し口１７ｂよりエアカーテンとして放出される。
【００２８】
その結果、引出口１８より出ようとする冷却風は、エアカーテンと衝突し、その方向が下方向へ偏向し、冷却風とエアカーテンが合流してなる気流は、そこに配設されているガイド部材１９を通じて排気室８の底面側へと案内されるので、もはや冷却風は引出口１８からは排出されず、排気フィルター１１を介して、排気窓１０より排出される。
【００２９】
このようにして、本実施例では、エアカーテン形成部材１７の吹き出し口１７ｂより放出されるエアカーテンにより、コードリール１４の冷却風が引出口１８より放出されることを抑止しているので、コードリール１４に巻き取られている電源コード１３を十分に冷却できるとともに、引出口１８より冷却風が排出されてユーザが奇異に感じるような事態を防止することができる。
【００３０】
図６、図７、および、図８は、本発明の他の実施例にかかる電気掃除機の概略構成を示している。なお、図において、図１〜図５と同一部分、および、相当する部分には、同一符号を付している。
【００３１】
図において、エアカーテン形成部材２０は、モータ室７の上部とコードストッパ１６の排気室側とを連通し、モータ室７からの排気を分岐して、電源コード１３の引出口１８の手前位置において、下方向へのエアカーテンを形成するためのものである。
【００３２】
また、エアカーテン形成部材２０の吹き出し口２０ａの直下には、ガイド部材２１が配設されており、吹き出し口２０ａより放出されるエアカーテンは、排気室８の一部に形成される別室２２へと導かれる。
【００３３】
また、本実施例では、別室２２が形成されたため、排気窓１０’は、上述した実施例の排気窓１０よりも幅広の構成となっており、それに伴って、排気フィルター１１’も、上述した実施例の排気フィルター１１よりも幅広の構成となっている。
【００３４】
したがって、引出口１８より出ようとするコードリール１４の冷却風は、エアカーテン形成部材２０の吹き出し口２０ａより放出されるエアカーテンと衝突し、その方向が下方向へ偏向し、冷却風とエアカーテンが合流してなる気流は、ガイド部材２１を通じて別室２２へと案内されるので、もはや冷却風は引出口１８からは排出されず、排気フィルター１１’を介して、排気窓１０’より排出される。
【００３５】
このようにして、本実施例では、冷却風とエアカーテンが合流してなる気流を、より近くに設けられている別室２２へ案内した後に排気しているので、当該気流の流れが円滑になり、冷却風の遮断効果をより高くすることができる。
【００３６】
図９および図１０は、本発明のさらに他の実施例を示している。なお、図において、図６〜図８と同一部分および相当する部分には、同一符号を付している。
【００３７】
図において、エアカーテン形成部材２４は、モータ室７の上部とコードストッパ１６の排気室側とを連通し、モータ室７からの排気を分岐して、電源コード１３の引出口１８の手前位置において、下方向へのエアカーテンを形成するためのものである。また、エアカーテン形成部材２４の吹き出し口２４ａは、上述した実施例に比べて、コードストッパ１６よりも電源コード１３の引出口１８の方向へ移動した場所へ位置決めされている。
【００３８】
また、エアカーテン形成部材２４の吹き出し口２４ａの直下には、ガイド部材２１が配設されており、吹き出し口２４ａより放出されるエアカーテンは、排気室８の一部に形成される別室２２へと導かれる。
【００３９】
したがって、引出口１８より出ようとするコードリール１４の冷却風は、エアカーテン形成部材２４の吹き出し口２４ａより放出されるエアカーテンと衝突し、その方向が下方向へ偏向し、冷却風とエアカーテンが合流してなる気流は、ガイド部材２１を通じて別室２２へと案内されるので、もはや冷却風は引出口１８からは排出されず、排気フィルター１１’を介して、排気窓１０’より排出される。
【００４０】
また、本実施例では、エアカーテン形成部材２４の吹き出し口２４ａが、コードストッパ１６よりも電源コード１３の引出口１８の方向に移動しているので、エアカーテンの出口付近の気圧が外気圧により近い態様となっており、それにより、冷却風とエアカーテンが合流してなる気流の流れが円滑になり、冷却風の遮断効果をより高くすることができる。
【００４１】
図１１は、本発明の別な実施例の構成例を示している。なお、同図において、図３〜図５と同一部分および相当する部分には、同一符号を付している。
【００４２】
同図において、エアカーテン形成部材２５の吹き出し口２５ａは、当該吹き出し口２５ａより放出されるエアカーテンを拡散可能な態様に形成されており、電源コード１３のコードストッパ１６’の内側よりに設けられている。
【００４３】
また、コードストッパ１６’は、吹き出し口２５ａより放出されるエアカーテンの気流を整流できるように、後方へ傾斜する態様に設けられている。
【００４４】
したがって、引出口１８より出ようとするコードリール１４の冷却風は、エアカーテン形成部材２５の吹き出し口２５ａより放出されるエアカーテンと衝突し、その方向が下方向へ偏向し、冷却風とエアカーテンが合流してなる気流は、ガイド部材１９を通じて排気室８へと案内されるので、もはや冷却風は引出口１８からは排出されず、排気窓１０より排出される。
【００４５】
また、本実施例では、エアカーテン形成部材２５の吹き出し口２５ａから放出されるエアカーテンが、コードストッパ１６’により整流されるので、エアカーテンの気流が安定し、それにより、冷却風とエアカーテンが合流してなる気流の流れが円滑になり、冷却風の遮断効果をより高くすることができる。
【００４６】
図１２は、本発明のさらに別な実施例の構成例を示している。なお、同図において、図１１と同一部分および相当する部分には、同一符号を付している。
【００４７】
同図において、エアカーテン形成部材２６の吹き出し口２６ａは、コードリール１４の冷却風に対向する態様にエアカーテンを放出可能な形状に形成されており、電源コード１３のコードストッパ１６’の内側よりに設けられている。
【００４８】
したがって、引出口１８より出ようとするコードリール１４の冷却風は、エアカーテン形成部材２６の吹き出し口２６ａより放出されるエアカーテンと衝突し、その方向が下方向へ偏向し、冷却風とエアカーテンが合流してなる気流は、ガイド部材１９を通じて排気室８へと案内されるので、もはや冷却風は引出口１８からは排出されず、排気窓１０より排出される。
【００４９】
また、本実施例では、エアカーテン形成部材２６の吹き出し口２６ａから放出されるエアカーテンは、冷却風と対向する方向へ放出されるので、エアカーテンが冷却風に突き当たる速度が増し、それにより、冷却風とエアカーテンが合流してなる気流の流れが円滑になり、冷却風の遮断効果をより高くすることができる。
【００５０】
図１３は、本発明のまたさらに別な実施例の構成例を示している。なお、同図において、図１１と同一部分および相当する部分には、同一符号を付している。
【００５１】
同図において、エアカーテン形成部材（図示略）の吹き出し口１６Ａは、電源コード１３のコードストッパと同一部材で構成されている。すなわち、コードストッパが、吹き出し口１６Ａと兼用されている。
【００５２】
したがって、引出口１８より出ようとするコードリール１４の冷却風は、エアカーテン形成部材の吹き出し口１６Ａより放出されるエアカーテンと衝突し、その方向が下方向へ偏向し、冷却風とエアカーテンが合流してなる気流は、ガイド部材１９を通じて排気室８へと案内されるので、もはや冷却風は引出口１８からは排出されず、排気窓１０より排出される。
【００５３】
このようにして、本実施例では、エアカーテン形成部材の吹き出し口１６Ａを、コードストッパと兼用しているので、エアカーテン形成部材の吹き出し口の配置位置の自由度を高くすることができ、また、部品点数を低減することができるので、コストの低減にも効果がある。
【００５４】
例えば、図１４および図１５に示したように、コードリール１４が集塵モータ６の上側に配置されるような場合や、あるいは、図１６に示したように、コードリール１４が集塵モータ６の下側に配置されるような場合であっても、それぞれエアカーテン形成部材２７，２８を配設し、その吹き出し口２７ａ，２８ａがおのおのコードストッパを構成するように形成することができる。
【００５５】
なお、図１４、図１５、および、図１６において、図３〜図５と同一部分および相当する部分には、同一符号を付して、その説明を省略する。
【００５６】
また、図を省略するが、コードリール１４が集塵モータ６の上側に配置されるような場合や、あるいは、コードリール１４が集塵モータ６の下側に配置されるような場合であっても、エアカーテン形成部材の吹き出し口を、コードストッパと兼用しないような態様の構成も実現することができる。
【００５７】
【発明の効果】
以上説明したように、本発明によれば、エアカーテン形成部材の吹き出し口より放出されるエアカーテンにより、コードリールの冷却風が引出口より放出されることを抑止しているので、コードリールに巻き取られている電源コードを十分に冷却できるとともに、引出口より冷却風が排出されてユーザが奇異に感じるような事態を防止することができるという効果を得る。
【００５８】
また、冷却風とエアカーテンが合流してなる気流を、より近くに設けられている別室へ案内した後に排気しているので、当該気流の流れが円滑になり、冷却風の遮断効果をより高くすることができるという効果も得る。
【００５９】
また、エアカーテン形成部材の吹き出し口が、コードストッパよりも電源コードの引出口の方向に移動しているので、エアカーテンの出口付近の気圧が外気圧により近い態様となっており、それにより、冷却風とエアカーテンが合流してなる気流の流れが円滑になり、冷却風の遮断効果をより高くすることができるという効果も得る。
【００６０】
また、エアカーテン形成部材の吹き出し口から放出されるエアカーテンが、コードストッパにより整流されるので、エアカーテンの気流が安定し、それにより、冷却風とエアカーテンが合流してなる気流の流れが円滑になり、冷却風の遮断効果をより高くすることができるという効果も得る。
【００６１】
また、エアカーテン形成部材の吹き出し口から放出されるエアカーテンは、冷却風と対向する方向へ放出されるので、エアカーテンが冷却風に突き当たる速度が増し、それにより、冷却風とエアカーテンが合流してなる気流の流れが円滑になり、冷却風の遮断効果をより高くすることができるという効果も得る。
【００６２】
また、エアカーテン形成部材の吹き出し口を、コードストッパと兼用しているので、エアカーテン形成部材の吹き出し口の配置位置の自由度を高くすることができ、また、部品点数を低減することができるので、コストの低減にも効果があるという効果も得る。
【図面の簡単な説明】
【図１】本発明の一実施例にかかる電気掃除機の外観を示した概略図。
【図２】本発明の一実施例にかかる電気掃除機の内部構造を示した概略図（概念側面部分断面図）。
【図３】本発明の一実施例にかかる電気掃除機の内部構造を示した概略図（概念平面部分断面図）。
【図４】本発明の一実施例にかかる電気掃除機の内部構造を示した概略図（概念部分断面図）。
【図５】本発明の一実施例にかかる電気掃除機の内部構造を示した概略図（概念部分断面図）。
【図６】本発明の他の実施例にかかる電気掃除機の内部構造を示した概略図（概念平面部分断面図）。
【図７】本発明の他の実施例にかかる電気掃除機の内部構造を示した概略図（概念部分断面図）。
【図８】本発明の他の実施例にかかる電気掃除機の後方から見た態様の概略図。
【図９】本発明のさらに他の実施例にかかる電気掃除機の内部構造を示した概略図（概念平面部分断面図）。
【図１０】本発明のさらに他の実施例にかかる電気掃除機の内部構造を示した概略図（概念部分断面図）。
【図１１】本発明の別な実施例にかかる電気掃除機の内部構造を示した概略図（概念部分断面図）。
【図１２】本発明のさらに別な実施例にかかる電気掃除機の内部構造を示した概略図（概念部分断面図）。
【図１３】本発明のまたさらに別な実施例にかかる電気掃除機の内部構造を示した概略図（概念部分断面図）。
【図１４】集塵モータの上側にコードリールが配置される態様の電気掃除機の内部構造を示した概略図（概念部分断面図）。
【図１５】集塵モータの上側にコードリールが配置される態様の電気掃除機の内部構造を示した概略図（概念部分断面図）。
【図１６】集塵モータの下側にコードリールが配置される態様の電気掃除機の内部構造を示した概略図（概念部分断面図）。
【符号の説明】
１３  電源コード
１４  コードリール
１６，１６’，１６”  コードストッパ
１７，２０，２４，２５，２６，２７，２８  エアカーテン形成部材
１６Ａ，１７ｂ，２０ａ，２４ａ，２５ａ，２６ａ，２７ａ，２８ａ  吹き出し口
【図１】
2004357999.tif 000003
【図２】
2004357999.tif 000004
【図３】
2004357999.tif 000005
【図４】
2004357999.tif 000006
【図５】
2004357999.tif 000007
【図６】
2004357999.tif 000008
【図７】
2004357999.tif 000009
【図８】
2004357999.tif 000010
【図９】
2004357999.tif 000011
【図１０】
2004357999.tif 000012
【図１１】
2004357999.tif 000013
【図１２】
2004357999.tif 000014
【図１３】
2004357999.tif 000015
【図１４】
2004357999.tif 000016
【図１５】
2004357999.tif 000017
【図１６】
2004357999.tif 000018